【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
インクを吐出するための複数の記録素子が所定方向に配列された第１の記録素子列の端部と、前記第１の記録素子列の記録素子が吐出するインクと同色のインクを吐出するための複数の記録素子が前記所定方向に配列された第２の記録素子列の端部とが、前記所定方向と交差する走査方向にオーバーラップするオーバーラップ部を有するように、前記第１の記録素子列と前記第２の記録素子列が前記所定方向にずれて配置された記録ヘッドを記録媒体に対して前記走査方向に相対走査させながらインクを吐出して画像を記録するためのデータ生成装置であって、
前記第１の記録素子列の記録素子のうち前記オーバーラップ部に含まれる第１の記録素子群と前記第２の記録素子列の記録素子のうち前記オーバーラップ部に含まれる第２の記録素子群とを、前記所定方向の位置に対応する比率で分担して用いることにより画像を記録するための画像データを生成し、前記第１の記録素子群の前記所定方向における一方の端部に位置する記録素子を記録に用いる比率と前記所定方向における他方の端部に位置する記録素子を記録に用いる比率との差が、前記画像を記録する際の前記差よりも小さくなるように、テストパターンを記録するためのテストパターンデータを生成する生成手段を備えることを特徴とするデータ生成装置。
【請求項２】
前記テストパターンを記録する際に前記一方の端部に位置する記録素子を記録に用いる比率と前記他方の端部に位置する記録素子を記録に用いる比率との差は略０であることを特徴とする請求項１に記載のデータ生成装置。
【請求項３】
前記生成手段は、前記第２の記録素子群の前記所定方向における一方の端部に位置する記録素子を記録に用いる比率と前記所定方向における他方の端部に位置する記録素子を記録に用いる比率との差が、前記画像を記録する際の前記差よりも小さくなるように、前記テストパターンデータを生成することを特徴とする請求項１または２に記載のデータ生成装置。
【請求項４】
前記生成手段は、前記第１の記録素子群の記録素子と該記録素子に対応する前記第２の記録素子群の記録素子とを分担して用いるための比率の合計が１００％となるように前記テストパターンデータを生成することを特徴とする請求項１から３のいずれかに記載のデータ生成装置。
【請求項５】
前記第１の記録素子群の記録素子と該記録素子に対応する前記第２の記録素子群の記録素子とを分担して用いるための比率の合計が１００％となるように前記画像データを生成することを特徴とする請求項１から４のいずれかに記載のデータ生成装置。
【請求項６】
前記テストパターンは、前記第１の記録素子群の記録素子と該記録素子に対応する前記第２の記録素子群の記録素子との吐出量を補正するためのテストパターンであることを特徴とする請求項１から５のいずれかに記載のデータ生成装置。
【請求項７】
インクを吐出するための複数の記録素子が所定方向に配列された第１の記録素子列の端部と、前記第１の記録素子列の記録素子が吐出するインクと同色のインクを吐出するための複数の記録素子が前記所定方向に配列された第２の記録素子列の端部とが、前記所定方向と交差する走査方向にオーバーラップするオーバーラップ部を有するように、前記第１の記録素子列と前記第２の記録素子列が前記所定方向にずれて配置された記録ヘッドを記録媒体に対して前記走査方向に相対走査させながらインクを吐出して画像を記録するためのデータ生成方法であって、
前記第１の記録素子列の記録素子のうち前記オーバーラップ部に含まれる第１の記録素子群と前記第２の記録素子列の記録素子のうち前記オーバーラップ部に含まれる第２の記録素子群とを、前記所定方向の位置に対応する比率で分担して用いることによりテストパターンを記録するためのテストパターンデータを生成する第１生成工程と、
前記第１の記録素子群と前記第２の記録素子群とを、前記所定方向の位置に対応する比率で分担して用いることにより画像を記録するための画像データを生成する第２生成工程と、を備え、
前記第１生成工程における、前記第１の記録素子群の前記所定方向における一方の端部に位置する記録素子を記録に用いる比率と前記所定方向における他方の端部に位置する記録素子を記録に用いる比率との差は、前記第２生成工程における、前記差よりも小さいことを特徴とするデータ生成方法。
【請求項８】
前記テストパターンを記録する際に前記一方の端部に位置する記録素子を記録に用いる比率と前記他方の端部に位置する記録素子を記録に用いる比率との差は略０であることを特徴とする請求項７に記載のデータ生成方法。
【請求項９】
前記第２生成工程において、前記第２の記録素子群の前記所定方向における一方の端部に位置する記録素子を記録に用いる比率と前記所定方向における他方の端部に位置する記録素子を記録に用いる比率との差が、前記画像を記録する際の前記差よりも小さくなるように、前記テストパターンデータを生成することを特徴とする請求項７または８に記載のデータ生成方法。
【請求項１０】
前記第１生成工程において、前記第１の記録素子群の記録素子と該記録素子に対応する前記第２の記録素子群の記録素子とを分担して用いるための比率の合計が１００％となるように前記テストパターンデータを生成することを特徴とする請求項７から９のいずれかに記載のデータ生成方法。
【請求項１１】
前記第２生成工程において、前記第１の記録素子群の記録素子と該記録素子に対応する前記第２の記録素子群の記録素子とを分担して用いるための比率の合計が１００％となるように前記画像データを生成することを特徴とする請求項７から１０のいずれかに記載のデータ生成方法。
【請求項１２】
前記テストパターンは、前記第１の記録素子群の記録素子と該記録素子に対応する前記第２の記録素子群の記録素子との吐出量を補正するためのテストパターンであることを特徴とする請求項７から１１のいずれかに記載のデータ生成方法。
【請求項１３】
インクを吐出するための複数の記録素子が所定方向に配列された第１の記録素子列の端部と、前記第１の記録素子列の記録素子が吐出するインクと同色のインクを吐出するための複数の記録素子が前記所定方向に配列された第２の記録素子列の端部とが、前記所定方向と交差する走査方向にオーバーラップするオーバーラップ部を有するように、前記第１の記録素子列と前記第２の記録素子列が前記所定方向にずれて配置された記録ヘッドを記録媒体に対して前記走査方向に相対走査させながらインクを吐出して画像を記録するためのデータ生成装置であって、
前記第１の記録素子列の記録素子のうち前記オーバーラップ部に含まれる第１の記録素子群と前記第２の記録素子列の記録素子のうち前記オーバーラップ部に含まれる第２の記録素子群とを、前記所定方向の位置に対応する比率で分担して用いることにより画像を記録するための画像データを生成し、前記第１の記録子群と前記第２の記録素子群とを、前記所定方向の位置に対応する比率で分担して用いることによりテストパターンを記録するためのテストパターンデータを生成する生成手段を有し、
前記テストパターンを記録する際に、前記第１及び第２の記録素子群を分担して用いる比率が前記所定方向において略一定となる記録素子の数は、前記画像を記録する際に、前記第１及び第２の記録素子群を分担して用いる比率が前記所定方向において略一定となる記録素子の数よりも多いことを特徴とするデータ生成装置。
【請求項１４】
インクを吐出するための複数の記録素子が所定方向に配列された第１の記録素子列の端部と、前記第１の記録素子列の記録素子が吐出するインクと同色のインクを吐出するための複数の記録素子が前記所定方向に配列された第２の記録素子列の端部とが、前記所定方向と交差する走査方向にオーバーラップするオーバーラップ部を有するように、前記第１の記録素子列と前記第２の記録素子列が前記所定方向にずれて配置された記録ヘッドを記録媒体に対して前記走査方向に相対走査させながらインクを吐出して画像を記録するためのデータ生成方法であって、
前記第１の記録素子列の記録素子のうち前記オーバーラップ部に含まれる第１の記録素子群と前記第２の記録素子列の記録素子のうち前記オーバーラップ部に含まれる第２の記録素子群とを、前記所定方向の位置に対応する比率で分担して用いることにより画像を記録するための画像データを生成する第１生成工程と、
前記第１の記録子群と前記第２の記録素子群とを、前記所定方向の位置に対応する比率で分担して用いることによりテストパターンを記録するためのテストパターンデータを生成する第２生成工程とを有し、
前記テストパターンを記録する際に、前記第１及び第２の記録素子群を分担して用いる比率が前記所定方向において略一定となる記録素子の数は、前記画像を記録する際に、前記第１及び第２の記録素子群を分担して用いる比率が前記所定方向において略一定となる記録素子の数よりも多いことを特徴とするデータ生成方法。
【手続補正２】
【補正対象書類名】明細書
【補正対象項目名】発明の名称
【補正方法】変更
【補正の内容】
【発明の名称】データ生成装置及びデータ生成方法
【手続補正３】
【補正対象書類名】明細書
【補正対象項目名】０００１
【補正方法】変更
【補正の内容】
【０００１】
本発明は、複数の記録ヘッドを重ねて配置する、所謂つなぎヘッドを用いて画像を記録するためのデータ生成装置及びデータ生成方法に関する。
【手続補正４】
【補正対象書類名】明細書
【補正対象項目名】００２２
【補正方法】変更
【補正の内容】
【００２２】
以上のような課題を解決するための本発明は、つなぎヘッドのつなぎ部で記録される領域に対して、適切に色補正を行うための測色が可能なテストパターンと、画像を記録するためのデータ生成装置の提供を目的とする。
【手続補正５】
【補正対象書類名】明細書
【補正対象項目名】００２３
【補正方法】変更
【補正の内容】
【００２３】
本発明は、この点に鑑みてなされたもので、インクを吐出するための複数の記録素子が所定方向に配列された第１の記録素子列の端部と、前記第１の記録素子列の記録素子が吐出するインクと同色のインクを吐出するための複数の記録素子が前記所定方向に配列された第２の記録素子列の端部とが、前記所定方向と交差する走査方向にオーバーラップするオーバーラップ部を有するように、前記第１の記録素子列と前記第２の記録素子列が前記所定方向にずれて配置された記録ヘッドを記録媒体に対して前記走査方向に相対走査させながらインクを吐出して画像を記録するためのデータ生成装置であって、前記第１の記録素子列の記録素子のうち前記オーバーラップ部に含まれる第１の記録素子群と前記第２の記録素子列の記録素子のうち前記オーバーラップ部に含まれる第２の記録素子群とを、前記所定方向の位置に対応する比率で分担して用いることにより画像を記録するための画像データを生成し、前記第１の記録素子群の前記所定方向における一方の端部に位置する記録素子を記録に用いる比率と前記所定方向における他方の端部に位置する記録素子を記録に用いる比率との差が、前記画像を記録する際の前記差よりも小さくなるように、テストパターンを記録するためのテストパターンデータを生成する生成手段を備えることを特徴とする。
【手続補正６】
【補正対象書類名】明細書
【補正対象項目名】００２４
【補正方法】変更
【補正の内容】
【００２４】
本発明によれば、複数の記録ヘッドをつないだつなぎヘッドを用いて、つなぎ部で記録される領域に対して適切に色補正を行うための測色が可能なテストパターンと、画像を記録するためのデータ生成装置の提供を目的とする。